(57)【特許請求の範囲】
【請求項１】
入射光束に対して半透明かつ半反射の状態と全反射の状態とを切り替える機能を有する調光ミラー素子を含み、前記調光ミラー素子での反射により得られた第１光束を第１出射面より出射させ、前記調光ミラー素子での透過により得られた第２光束を第２出射面より出射させる光束分割手段と、
前記第１光束のうち第１の波長域の光を通す第１状態と前記第１光束のうち第２の波長域の光を通す第２状態とを切り替えるエレクトロクロミック素子と、
前記第１出射面より出射した前記第１光束による撮像を行う第１撮像素子と、
前記第２出射面より出射した前記第２光束による撮像を行う第２撮像素子と、
前記調光ミラー素子が前記半透明かつ半反射の状態であって前記エレクトロクロミック素子が前記第１状態である第１モードと、前記調光ミラー素子が前記全反射の状態であって前記エレクトロクロミック素子が前記第２状態である第２モードとを切り換える制御を行う制御手段と、
前記第１モードでは、前記第１撮像素子より得られる画像信号と、前記第２撮像素子より得られる画像信号とを用いてカラー画像を形成し、前記第２モードでは、前記第１撮像素子より得られる画像信号を用いてモノクロ画像を形成する信号合成手段と、
を有することを特徴とする撮像装置。
【請求項２】
前記光束分割手段の前側に挿脱可能な赤外カットフィルタを有し、
前記第１モードでは、前記赤外カットフィルタが前記光束分割手段の前側に挿入されていて、
前記第２モードでは、前記赤外カットフィルタが前記光束分割手段の前側に挿入されていないことを特徴とする請求項１に記載の撮像装置。
【請求項３】
前記第１の波長域は緑色光の波長域であり、前記第２の波長域は可視光の波長域であることを特徴とする請求項１に記載の撮像装置。
【請求項４】
前記第１の波長域は緑色光の波長域であり、前記第２の波長域は可視光の波長域及び赤外光の波長域であることを特徴とする請求項２に記載の撮像装置。
【請求項５】
前記第２撮像素子は、赤色の光を通過する赤フィルタと青色の光を通過する青フィルタとがモザイク状に２次元的に配置されてなるモザイクフィルタを有し、前記赤色の光に対応する画像信号と前記青色の光に対応する画像信号とを得ることを特徴とする請求項１ないし請求項４のうちいずれか1項に記載の撮像装置。
【請求項６】
前記光束分割手段は、２つのプリズム部材を含み、前記調光ミラー素子は、前記２つのプリズム部材の間に接合されていることを特徴とする請求項１ないし請求項５のうちいずれか１項に記載の撮像装置。
【請求項７】
前記調光ミラー素子は、エレクトロクロミズムの原理により前記半透明かつ半反射の状態と前記全反射の状態とを切り替えることを特徴とする請求項１ないし請求項６のうちいずれか１項に記載の撮像装置。
【発明の詳細な説明】
【技術分野】
【０００１】
本発明は、カラー画像の撮像と白黒画像（モノクロ画像）の撮像を選択的に行うことができる撮像装置に関し、特にカラー画像の撮像時に高解像度で、白黒画像の撮像時に高感度を求められる、例えば監視カメラ等の撮像装置に好適なものである。
【背景技術】
【０００２】
近年、監視カメラでは得られる画像の高精度化が求められている。例えば、対象となる物体のカラー画像を撮像すれば物体の形状認識だけではなく、豊富な色情報から対象物の種類や特徴等の情報をより多く取得でき、対象物の特定が容易になる。従来、多くの撮像装置では、一つの撮像素子を用いてカラー画像を得る際、撮像素子の前方（撮像素子と被写体像を形成するレンズとの間）にカラーモザイクフィルタを設けカラー画像を得る単板式が多く用いられている（特許文献１）。
【０００３】
図９は従来の単板式のカラーカメラに用いられている固体撮像素子を有する撮像部１０の分解斜視図である。撮像部１０はパッケージ１１、固体撮像素子１２、色分解用のモザイクフィルタ３３、前面ガラス（カバーガラス）１４等より構成されている。モザイクフィルタ３３は四つの画素うち、二つの画素に緑色（Ｇ）を、残ったうちの一つの画素に赤色（Ｒ）を、最後に残った画素に青色（Ｂ）のフィルタが配置されるように構成されている。
【０００４】
この単板式のカラーカメラにおいて解像度は緑色（Ｇ）の画素の寄与率が大きく、赤色（Ｒ）や青色（Ｂ）の寄与率が低いので、撮像部１０の本来持つ撮像素子の解像度を犠牲にしてカラー画像を得ている。
【０００５】
この他、カラー画像を得るのにプリズムタイプの色分解光学系と三つの撮像素子を組み合わせた三板式のカラーカメラが知られている（特許文献２）。最近では取り扱いが容易な固体撮像素子を使った、三板式カラーカメラが多く用いられこのタイプは一つの撮像素子を使った単板式のカラーカメラに較べ、解像度の劣化が少ない。また、三板式カラーカメラは光を複数の波長領域に分けてそれぞれの撮像素子で受けるため、光のエネルギー利用効率が高いと言った特徴がある。
【先行技術文献】
【特許文献】
【０００６】
【特許文献１】特開２０１３−２２３１５２号公報
【特許文献２】特開２００３−３０９８５８号公報
【発明の概要】
【発明が解決しようとする課題】
【０００７】
一つの撮像素子にカラーモザイクフィルタを設けてカラー画像を得る撮像装置は、装置全体は簡素化されるが解像力は撮像素子単体がもつ解像度より低下する。監視カメラでは、撮影領域（撮影画角）を広く取ると、より広い範囲を監視することができて死角も少なく安全性が高くなる。しかしながら、解像度が低下すると対象物の色情報を認識できても形状の認識率が低下する。このため、解像度に見合った撮影領域とするには撮影領域を、より広くすることが困難となる。
【０００８】
港湾監視などに用いられる監視カメラでは、より遠方の不審船などを監視する場合、長焦点距離の撮影レンズを用いる必要がある。しかしながら解像力が低下すると遠方の物体を精度良く認識するのが困難になる。
【０００９】
単板式のカラーカメラは、もともと光の利用効率が高くない。これは前述したように、モザイクカラーフィルタが空間的に色分解することが一つの要因である。そして、モザイクカラーフィルタ自体が不必要な光の吸収だけにとどまらず、必要な波長帯の光をも吸収してしまい、光エネルギーの利用効率が低下することも要因の一つである。
【００１０】
監視カメラにおいては夜間の様に低照度下の撮影においてノイズの少ない高解像度の撮影が可能であることが要望されている。しかしながら、前述の様に光の利用効率が高くないため、低照度下では撮像素子への入射光エネルギーが小さく、ノイズが多くなり解像力が低下する傾向がある。
【００１１】
三板式カラーカメラにおいては空間的色分解を行っていないので、撮像素子の解像力は維持され、解像度の劣化を防止することが容易である。しかしながら、三板式カラーカメラでは解像力が低下する傾向がある。単板式のカラーカメラに較べ、三板式のカラーカメラは、カラーカメラとして、光のエネルギーを効率よく使っている。だが、光を波長で分割して撮像素子に入れるため、一つの撮像素子に入射する光エネルギーは１００％のものではない。例えば、色分解光学系に入射する光が可視域だけにエネルギー分布をもつ光であったとする。
【００１２】
三板式カラーカメラにおいて用いられている色分解光学系では、緑の波長帯域の光と、赤の波長帯域の光、青の波長帯域の光を三つの波長帯域に分けている。つまり、入射した光エネルギーを各色光毎におおよそ１／３ずつ分けて撮像素子へと導いている。しかしながら十分な光量がない低照度下では個々の撮像素子の入射光エネルギーが小さく、ノイズが多くなり、撮像素子の解像力が低下してくる。特に三つの撮像素子の信号を足し合わせても、信号・ノイズ比は良くならないと言った課題がある。
【００１３】
単板式の監視カメラ等では撮像する物体が低照度のときにはカラー画像の撮像を止めて白黒画像を得るようにした方が高い解像力を得ることができる。
【００１４】
一方、撮像する物体が高照度のときには、複数の撮像素子を用いてカラー画像を撮像すれば解像力の低下を軽減しつつ、物体の色情報も得ることができて、認識率を高めることができる。しかしながら１つの監視カメラで撮像する物体が低照度のときと高照度のときとで分けたカラー画像と白黒画像を選択的に撮像することは構成が複雑となり、大変困難である。
【００１５】
本発明は、カラー画像とモノクロ画像とを選択的に高解像力で得るのに有利な撮像装置の提供を目的とする。
【課題を解決するための手段】
【００１６】
上記目的を達成するため、本発明の撮像装置は、入射光束に対して半透明かつ半反射の状態と全反射の状態とを切り替える機能を有する調光ミラー素子を含み、前記調光ミラー素子での反射により得られた第１光束を第１出射面より出射させ、前記調光ミラー素子での透過により得られた第２光束を第２出射面より出射させる光束分割手段と、
前記第１光束のうち第１の波長域の光を通す第１状態と前記第１光束のうち第２の波長域の光を通す第２状態とを切り替えるエレクトロクロミック素子と、
前記第１出射面より出射した前記第１光束による撮像を行う第１撮像素子と、
前記第２出射面より出射した前記第２光束による撮像を行う第２撮像素子と、
前記調光ミラー素子が前記半透明かつ半反射の状態であって前記エレクトロクロミック素子が前記第１状態である第１モードと、前記調光ミラー素子が前記全反射の状態であって前記エレクトロクロミック素子が前記第２状態である第２モードとを切り換える制御を行う制御手段と、
前記第１モードでは、前記第１撮像素子より得られる画像信号と、前記第２撮像素子より得られる画像信号とを用いてカラー画像を形成し、前記第２モードでは、前記第１撮像素子より得られる画像信号を用いてモノクロ画像を形成する信号合成手段と、（請求項５より）
を有することを特徴としている。
【発明の効果】
【００１８】
本発明によれば、カラー画像とモノクロ画像とを選択的に高解像力で得るのに有利な撮像装置を提供することができる。
【図面の簡単な説明】
【００１９】
【図１】本発明の撮像装置の実施例１の要部概略図
【図２】図１の調光ミラーの半透過／半反射状態の特性図
【図３】図１の調光ミラーのミラー状態の特性図
【図４】図１のエレクトロクロミック素子の分光特性例
【図５】本発明の撮像装置の実施例２の要部概略図
【図６】図５の赤外カットフィルタの分光特性の説明図
【図７】図５の調光ミラーのミラー状態の分光特性の説明図
【図８】図５のエレクトロクロミック素子の分光特性の説明図
【図９】従来の撮像部の説明図
【発明を実施するための形態】
【００２０】
以下に、各図を参照して本発明の撮像装置について説明する。本発明の撮像装置は、入射光束を反射による第１光束と、透過による第２光束に分割する機能と、半透明／半反射の状態と全光を反射する状態とに切り替えられる機能を有する調光ミラー素子を含む光束分割手段を有する。光束分割手段は第１光束を第１出射面より出射させ、第２光束を第２出射面より出射させる。更に第１出射面に設けた可視域のうち所定の波長域（第１の波長域）の光を通す状態と可視域（第２の波長域）の光を通す状態を切り替えられるエレクトロクロミック素子を有する。
【００２１】
更に第１出射面より出射した第１光束を撮像する第１撮像素子と、第２出射面より出射した第２光束を撮像する第２撮像素子を有する。そして調光ミラー素子が半透明／半反射状態、エレクトロクロミック素子が可視光のうち所定の波長域の光を通す状態を第１モードとする。また調光ミラー素子が全光の反射状態、エレクトロクロミック素子が可視域の光を通す状態を第２モードとする。このとき第１モードと第２モードとの切り換え制御を行う制御装置とを有する。ここで可視域のうち所定の波長域は緑色光の波長域である。
【００２２】
ここで第１モードでは第１撮像素子より得られる撮像信号と、第２撮像素子より得られる撮像信号を用いてカラー画像を形成する。第２モードでは第１撮像素子より得られる撮像信号を用いて白黒画像（モノクロ画像）を形成する。
【００２３】
［実施例１］
図１は本発明の撮像装置の実施例１の要部概略図である。図１においてＬｅは本発明の撮像装置に着脱可能に装着する撮像光学系である。７は近赤外カットフィルタ（IRCut F.）であり、撮像光学系Ｌｅを通過してきた光Ｌ０から近赤外光を遮光し、可視光Ｌａを通過させる。Ｍは駆動部であり、制御装置Ｏ１からの信号によりIRCut F.７を光路に挿入及び光路中から退避させている。
【００２４】
実施例１では駆動部Ｍは常にＯＦＦであり、IRCut F.７は常に光路内に配置されている。１は光束分割手段である。光束分割手段１は第１プリズム２、第２プリズム５、調光ミラー３を有する。IRCut F.７を通過した光束（可視光）Ｌａは光束分割手段１に入射する。光束分割手段１は入射光束Ｌａを複数の光束に分割し、複数の光束をそれぞれの光路に配置された第１撮像素子６１と第２撮像素子６２へ導く。光束分割手段１は反射による第１光束Ｌ１と、透過による第２光束Ｌ２に分割する第１反射面２ａを備えている。
【００２５】
第１反射面２ａは、半透明／半反射の状態（ハーフミラー状態）とほぼ全ての光を反射する全反射状態を切り替えられる公知の調光ミラー素子３を構成している。調光ミラー３は制御部Ｓ２からの信号により反射面２ａをハーフミラー状態と全反射状態を切り換えている。
【００２６】
光束分割手段１は第１光束Ｌ１を第１撮像素子６１へ導く第１プリズム２と、第２光束Ｌ２を第２撮像素子６２へ導く第２プリズム５を有する。４は第１反射面１ａと第１撮像素子６１との間に配置された可視光のうち、所定の波長域の光束、例えば緑色の光を通す状態と可視域の光を通す状態を切り替えられるエレクトロクロミック素子（ＥＣ素子）である。ＥＣ素子４は制御部Ｓ１からの信号により通過する光束の状態を切り換えている。
【００２７】
処理部Ｃ１は第１撮像素子６１で得られた画像信号を信号合成装置Ｏ２に入力する。処理部Ｃ１の駆動はカラー画像撮像時及び白黒画像撮像時のいずれにおいてもＯＮである。処理部Ｃ２は第２光出射部１ｂを通過した光束より第２撮像素子６２で得られた画像信号を信号合成装置Ｏ２に入力する。処理部Ｃ２はカラー画像撮像時（撮像状態）にはＯＮであり、白黒画像撮像時（撮像休止状態）にはＯＦＦである。
【００２８】
制御部Ｓ１はＥＣ素子４を通過する光束の通過状態を制御装置Ｏ１からの信号に基づいて制御する。カラー画像撮像時において制御部Ｓ１の駆動はＯＮとなり、ＥＣ素子４は可視光のうち緑色光のみを通過状態となる。白黒画像撮像時において制御部Ｓ１の駆動はＯＦＦとなり、ＥＣ素子４は可視光から近赤外光まで透過状態となる。
【００２９】
制御部Ｓ２は調光ミラー３を通過する通過状態を制御装置Ｏ１からの信号に基づいて制御する。カラー画像撮像時において制御部Ｓ２の駆動はＯＮとなり、調光ミラー３は半透過／半反射のハーフミラー状態となる。白黒画像撮像時において制御部Ｓ２の駆動はＯＦＦとなり調光ミラー３は完全反射状態（透過光が殆どない）となる。
【００３０】
本実施例ではカラー画像撮像時及び白黒画像撮像時のいずれにおいても駆動部ＭはＯＦＦ状態であり、IRCut F.７は光路内に配置されている。
【００３１】
本実施例では撮像対象となる被写体が明るく十分な照度があるときはカラー画像を撮像し、十分な照度がないときは白黒画像を撮像するようにしている。
【００３２】
本実施例におけるカラー画像と白黒画像を切り換えて撮像するときの各部材の動作のＯＮ，ＯＦＦそして各部材の光学作用は表１の実施例１として示すとおりである。第２撮像素子６２は、例えば赤色の光を通す赤フィルタと青色の光を通す青フィルタをモザイク状に２次元的に配置されてなるモザイクフィルタを有し、赤色の光に対応する画像信号と青色の光に対応する画像信号とを電気信号に変換できる機能を有する。調光ミラー３は２つのプリズム部材の間に接合されている。
【００３３】
調光ミラー素子３はエレクトロクロミズムの原理により、電圧の印加状態により、透明状態とミラー状態を切り替えられる公知の素子である（国際公開WO2006/129424,特表2004-537743号公報）。調光ミラー３は、例えば電圧を印加することにより、図２（Ａ），（Ｂ）のように、半透過／半反射の状態（ハーフミラー状態）（ＯＮ状態）とすることができる。この状態から電圧を反転して印加すると、調光ミラー素子３は図３（Ａ），（Ｂ）のようにミラー状態（完全反射状態）（ＯＦＦ状態）とすることができる。この変化は可逆変化である。
【００３４】
ＥＣ素子４もエレクトロクロミズムの原理により動作する。光の透過、反射は調光ミラー素子３と異なる。ＥＣ素子４は青色と赤色の光を吸収することで発色し、緑の光を透過する状態（以下発色状態とする）（ＯＮ状態）を有する。更に特異な吸収域を持たず、可視域やそれに隣接する近赤外域ほぼ全域を透過する状態（以下非発色状態とする）（ＯＦＦ状態）を有する。発色状態と非発色状態の双方を遷移する公知の素子である。
【００３５】
ＥＣ素子４の発色状態（ＯＮ状態）の特性を図４（Ａ）に、非発色状態（ＯＦＦ状態）の特性を図４（Ｂ）に示す。ＥＣ素子４への電気エネルギーの与え方により、発色状態（図４（Ａ））と非発色状態（図４（Ｂ））の中間的な発色状態も存在するが、本実施例ではおおよそ発色状態と非発色状態の二つの状態を利用している。
【００３６】
次に本実施例の動作を説明する。まず照度が十分得られる撮像状態（第１モード）ではカラー画像を撮像する。このときのカラー画像を形成するときの状態について表１を参照して説明する。
【００３７】
最初、制御部Ｓ２はＯＮとなり、調光ミラー素子３は図２（Ａ），（Ｂ）に示すような特性の半透過／半反射の状態（ハーフミラー状態）となる。また制御部Ｓ１もＯＮとなり、ＥＣ素子４は図４（Ａ）のような緑色の光を通す発色状態である。撮像光学系Ｌｅからの結像光束は、近赤外カットフィルタ７を通り、可視光Ｌａとなり、光束分割手段１に入射する。入射した結像光束Ｌ０は、第１プリズム２の面に設けられた調光ミラー素子３に達する。調光ミラー素子３の第１反射面２ａは半透過／半反射の状態であるので、結像光束Ｌ０は透過光Ｌ２と反射光Ｌ１の２光束に分割される。
【００３８】
反射した結像光束Ｌ１は、第１プリズム２により、その光射出面１ａにあるＥＣ素子４へと到達する。発色状態のＥＣ素子４を通った緑色の結像光束は撮像素子６１に到達し、第１撮像素子６１により緑色の像を電気信号に変換される。処理部Ｃ１は緑色の画像を信号合成装置Ｏ２に入力する。
【００３９】
一方、調光ミラー素子３を透過した結像光束Ｌ２は第２プリズム５の光出射面１ｂより射出し、第２撮像素子６２に到達し、第２撮像素子６２により、赤色の像と青色の像の電気信号に変換される。処理部Ｃ２はＯＮとなっており、赤信号のＲ画像と青信号のＢ画像を信号合成装置Ｏ２に入力する。信号合成装置Ｏ２は第１撮像素子６１で作られた緑色の電気信号と、第２撮像素子６２で作られた赤色と青色の電気信号からカラーカメラとしてカラー画像を形成する。
【００４０】
次に照度が低い撮影状態（第２モード）では白黒画像を撮像する。このときの白黒画像を形成するときの状態について説明する。制御部Ｓ２はＯＦＦとなり、調光ミラー素子３を図３（Ａ），（Ｂ）で示すような特性のミラー状態（完全反射状態）へ切り替える。制御部Ｓ１もＯＦＦとなり、ＥＣ素子４は図４（Ｂ）のような非発色状態（可視光を通過する状態）に切り替える。撮像光学系Ｌｅからの結像光束は、近赤外カットフィルタ７を通り、可視光Ｌａとなり光束分割手段１に入射する。
【００４１】
入射した結像光束Ｌａは、第１プリズム２の面に設けられた調光ミラー素子３に達する。調光ミラー素子３はミラー状態であるので、ごくわずかな透過光と、吸収により一部の光エネルギーが失われるが、光束の大部分のエネルギーはこれにより反射される。第２撮像素子６２には、光が殆ど来ないので機能を停止する。
【００４２】
一方、反射した結像光束Ｌ１は、第１プリズム６１により、その光射出面１ａにあるＥＣ素子４へと到達する。ＥＣ素子４は非発色状態であるので、結像光束の光エネルギーは、ほぼそのままＥＣ素子４を通り、第１撮像素子６１へ達し、第１撮像素子６１により白色の像が白黒の電気信号に変換される。処理部Ｃ１は第１撮像素子６１で得られた白黒画像を信号合成装置Ｏ２に入力する。処理部Ｃ２はＯＦＦとなっており、撮像は休止状態となり、第２撮像素子６２では画像を得ていない。これにより撮像装置は単板の白黒カメラとしての白黒画像を形成する。
【００４３】
表１は実施例１において駆動部Ｍ、制御部Ｓ１，Ｓ２、処理部Ｃ１，Ｃ２等のカラー画像と白黒画像を撮像するときの駆動に関するＯＮ，ＯＦＦ及びそのときの光学作用を示している。
【００４４】
【表１】
0006525603.tif 000002
【００４５】
本実施例の撮像装置は、前述したカラーカメラとしての動作と白黒カメラとしての動作を切り替えている。そして、カラーカメラ時でも、輝度信号に大きく寄与する緑の信号に一つの撮像素子を割り当てているので、撮像素子の解像力を最大限に引き出すことができる。また、白黒カメラのときは、カラー撮像時にカラー信号を取り出すために使用していた赤色や青色の光も、調光ミラー素子３のミラー状態とＥＣ素子４の非発色状態に切り替えることで、有効利用することができる。それにより、撮像素子の解像力を最大限に引き出すだけでなく、高感度の白黒カメラの動作とすることができる。
【００４６】
以上のように本実施例によれば、カラー画像の撮像時に解像度の劣化を防止しつつ、カラー画像の撮像が行え、低照度下でも、ノイズの発生を抑止することができるカラー画像と白黒画像の撮像の切り替えが容易な撮像装置が得られる。
【００４７】
［実施例２］
図５は、本発明の実施例２の撮像装置の要部概略図である。図５においてIRCut F.７は光束分割手段１の光入射側の結像光路より挿脱可能に設けられている。実施例２は実施例１に比べて、白黒画像の撮像時（第２モード）に近赤外カットフィルタ７（IRCut F.）が光路中より挿抜できる点が異なっている。カラー画像を撮像するときはIRCut F.７は結像光路中に配置される。IRCut F.７の光路中からの挿脱は駆動部Ｍにより制御装置Ｏ１からの信号に基づいて行っている。
【００４８】
本実施例では白黒画像を得るとき可視光だけでなく、近赤外光（波長７００ｎｍ〜波長１２００ｎｍ）も用い、広い波長域（第２の波長域）の光束を用いている点が実施例１と異なっている。図６は実施例２で用いる近赤外カットフィルタ７の分光特性である。図５において図１の実施例１と同機能の部材は同一記号としている。
【００４９】
次に本実施例の動作を説明する。各部材のＯＮ，ＯＦＦ、そして各部材の光学作用は表１の実施例２として示すとおりである。カラー画像を得る際に駆動部ＭはＯＦＦとなっており、IRCut F.７は挿脱可能に光路中に配置されている。このときカラー画像の撮像状態（第１モード）は実施例１と同じである。
【００５０】
白黒画像を撮像する際（第２モード）には駆動部ＭはＯＮとなり、近赤外カットフィルタ７を撮像光学系Ｌｅの結像光路から退避させている。制御部Ｓ１はＯＦＦであり、ＥＣ素子４は可視光から近赤外光まで透過状態にある。制御部Ｓ２はＯＦＦであり、調光ミラー３は完全反射状態にある。
【００５１】
調光ミラー素子３のミラー状態における波長４００ｎｍから波長１１００ｎｍの反射率特性を図７に、ＥＣ素子４の非発色状態の分光特性を図８に示す。撮像光学系Ｌｅを通過した結像光束Ｌ０は、赤外カットフィルタ７に阻害されること無く、光束分割プリズム１に向かい、第１プリズム２に入射する。第１プリズム２の面に設けられた調光ミラー素子３の反射面２ａは、結像光束Ｌ０の近赤外領域の光エネルギーを阻害することなく反射する。
【００５２】
この反射光束Ｌ１は第１プリズム２の射出面と導かれ、非発色状態のＥＣ素子４に近赤外領域の光エネルギーも阻害されること無く、第１撮像素子６１に到達し、第１撮像素子６１により白黒の電気信号に変換される。これにより近赤外域の光エネルギーも有効に取り込む単板の撮像装置（白黒カメラ）としての機能を有する。
【００５３】
本実施例の撮像装置は、実施例１で説明した効果に加え、赤外領域の光エネルギーも有効利用している。また、人間の目に感じない領域の近赤外の投光を行えば、近赤外カメラとして使用することができる。
【００５４】
本発明の各実施例では、カラー信号のうち２つの信号を、一つのプリズムと赤色と青色のモザイクフィルタを持った撮像素子で得ているが、それに限定するものではない。また、近赤外カットフィルタ７を挿抜可能として構成したが、例えばエレクトロクロミズムの原理を使い、機械的な移動ではなく、特性変化によりその効果をもたらすものでも良い。
【符号の説明】
【００５５】
１  光束分割手段      ２  第１プリズム      ３  調光ミラー
４  エレクトロクロミック素子      ５  第２プリズム      ６１  第１撮像素子
６２  第２撮像素子      ７  赤外カットフィルタ      Ｍ  駆動部
Ｏ１  制御装置      Ｏ２  信号合成装置      Ｃ１，Ｃ２  処理部
Ｓ１，Ｓ２  制御部      Ｌｅ  撮像光学系
【図１】
0006525603.tif 000003
【図２】
0006525603.tif 000004
【図３】
0006525603.tif 000005
【図４】
0006525603.tif 000006
【図５】
0006525603.tif 000007
【図６】
0006525603.tif 000008
【図７】
0006525603.tif 000009
【図８】
0006525603.tif 000010
【図９】
0006525603.tif 000011